(57)【要約】【課題】前工程に近い設備が必要な工程をオフラインで部品に集約して、貫通電極技術を必要とすること無く、簡潔にしかもコスト的にも安く電子デバイスパッケージを製造する。【解決手段】本発明は、半導体チップを含む回路素子を配置して、該回路素子をその裏面の配線パターンに接続し、かつ、該配線パターンとは反対側のおもて面に位置する外部電極に垂直配線を介して接続される電子デバイスパッケージに組み込んで用いる。この配線用電子部品は、電鋳母型材質としての導電性の支持部と、電鋳法により該支持部上に一体に連結して構成される複数の垂直配線部と、から構成される。【選択図】        図１
2014143448.tif 000002
【特許請求の範囲】
【請求項１】
半導体チップを含む回路素子を配置して、該回路素子と外部電極に接続される垂直配線が
内在する電子デバイスパッケージに組み込んで用いるための配線用電子部品において、
電鋳母型材質としての導電性の支持部と、
電鋳法により該支持部上に一体に連結して構成される前記垂直配線を行うための複数の
垂直配線部と、
から成る配線用電子部品。
【請求項２】
前記支持部に支持される垂直配線部だけでなく、それに接続される水平配線部を形成した
請求項１に記載の配線用電子部品。
【請求項３】
前記支持部は、導電性材料、或いはメッキ用の電気を通す程度の薄い酸化膜材料で覆った
シリコン基板である請求項２に記載の配線用電子部品。
【請求項４】
半導体チップを含む回路素子を配置して、該回路素子と外部電極に接続される垂直配線が
内在する電子デバイスパッケージに組み込んで用いるための配線用電子部品において、
絶縁基材、或いはこの絶縁基材の裏側に貼り付けた補強板との２層構成の支持部と、
メッキにより該支持部上に一体に連結して構成される前記垂直配線を行うための複数の
垂直配線部と、
から成る配線用電子部品。
【請求項５】
前記支持部に支持される垂直配線部だけでなく、それに接続される水平配線部を形成した
請求項４に記載の配線用電子部品。
【請求項６】
前記支持部は、ステンレス板、シリコン基板又はガラスの一方の全面に薄膜フィルムの絶
縁基材により作成したテープを貼り付けて構成される請求項５に記載の配線用電子部品。
【請求項７】
前記絶縁機材上に、金属のシード層を形成して、このシード層の上にメッキにより前記垂
直配線部及び水平配線部を成長させる請求項６に記載の配線用電子部品。
【請求項８】
前記支持部としてシリコン基板又はガラスを用い、この支持部に剥離助長層を介してシー
ド層を形成し、このシード層の上にメッキにより前記垂直配線部及び水平配線部を成長さ
せる請求項５に記載の配線用電子部品。
【請求項９】
半導体チップを含む回路素子を配置して、該回路素子と外部電極に接続される垂直配線が
内在する電子デバイスパッケージに組み込んで用いるための配線用電子部品において、
導電性或いは絶縁性の支持部と、
該支持部上に一体に連結して構成される前記垂直配線を行うための複数の垂直配線部と
、から成り、
前記垂直配線部は、支持部上に塗布したホトレジストに垂直配線部用穴を開けて、そこ
に導電性ペーストを埋め込むことにより構成される配線用電子部品。
【請求項１０】
前記支持部に支持される垂直配線部だけでなく、それに接続される水平配線部を形成した
請求項９に記載の配線用電子部品。
【請求項１１】
半導体チップを含む回路素子を配置して、該回路素子と外部電極に接続される垂直配線が
内在する電子デバイスパッケージに組み込んで用いるための配線用電子部品の製造方法に
おいて、
電鋳母型材質としての導電性の支持部を備え、
この支持部上にリソグラフィーとメッキを用いて前記垂直配線を行うための垂直配線部
を成長させ、支持部と一体になった垂直配線部パターンを形成することから成る配線用電
子部品の製造方法。
【請求項１２】
前記支持部上に水平配線部を形成した後、この水平配線部に接続される前記垂直配線部を
形成した請求項１１に記載の配線用電子部品の製造方法。
【請求項１３】
前記支持部は、導電性材料、或いはメッキ用の電気を通す程度の薄い酸化膜材料で覆った
シリコン基板である請求項１２に記載の配線用電子部品の製造方法。
【請求項１４】
半導体チップを含む回路素子を配置して、該回路素子と外部電極に接続される垂直配線が
内在する電子デバイスパッケージに組み込んで用いるための配線用電子部品の製造方法に
おいて、
絶縁基材、或いはこの絶縁基材の裏側に貼り付けた補強板との２層構成の支持部を備え
、
メッキにより該支持部上に一体に連結して構成される前記垂直配線を行うための複数の
垂直配線部を形成した、
ことから成る配線用電子部品の製造方法。
【請求項１５】
前記支持部上に水平配線部を形成した後、この水平配線部に接続される前記垂直配線部を
形成した請求項１４に記載の配線用電子部品の製造方法。
【請求項１６】
前記支持部は、シリコン基板又はガラスの一方の全面に、薄膜フィルムの絶縁基材により
作成したテープを貼り付けて構成される請求項１５に記載の配線用電子部品の製造方法。
【請求項１７】
前記絶縁機材上に、金属のシード層を形成して、このシード層の上にメッキにより前記垂
直配線部及び水平配線部を成長させる請求項１６に記載の配線用電子部品の製造方法。
【請求項１８】
前記支持部としてステンレス板、シリコン基板又はガラスを用い、この支持部に剥離助長
層を介してシード層を形成し、このシード層の上にメッキにより前記垂直配線部及び水平
配線部を成長させる請求項１５に記載の配線用電子部品の製造方法。
【請求項１９】
半導体チップを含む回路素子を配置して、該回路素子と外部電極に接続される垂直配線が
内在する電子デバイスパッケージに組み込んで用いるための配線用電子部品の製造方法に
おいて、
導電性或いは絶縁性の支持部を備え、
該支持部上に塗布したホトレジストに垂直配線部用穴を開けて、そこに導電性ペースト
を埋め込んだ後、ホトレジストを除去することにより前記垂直配線部を構成することから
成る配線用電子部品の製造方法。
【請求項２０】
前記ホトレジストを除去した後、垂直配線の低抵抗化および構造の強化のためにメッキを
施した請求項１９に記載の配線用電子部品の製造方法。
【請求項２１】
前記支持部上に水平配線部を形成した後、この水平配線部に接続される前記垂直配線部を
形成した請求項１９に記載の配線用電子部品の製造方法。
【発明の詳細な説明】
【技術分野】
【０００１】
本発明は、半導体チップを含む回路素子を配置し、該回路素子から垂直配線を介して接
続される外部電極を有する電子デバイスパッケージに組み込んで用いるための配線用電子
部品及びその製造方法に関する。
【背景技術】
【０００２】
ＬＳＩチップの高集積化に伴い、パッケージサイズの縮小化も強く要求されており、様
々な実装パッケージ構造が提案されている。近年、半導体ベアチップに貫通電極を形成し
て両面電極構造にし、それを積層しようとする開発が盛んに行われている。この技術は貫
通電極構造を必要としているが（特許文献１参照）、現在の貫通電極形成はシリコン基板
の開口と開口部の絶縁膜形成さらに低抵抗金属を充填する等、複雑な工程が必要である。
このように、半導体基板への貫通電極の形成とその絶縁方法にはまだ課題が残されていて
、貫通電極を必要とせずに両面電極構造を形成できることが望まれる。一方、携帯電話や
デジタルカメラのさらなる進化に伴いリアルサイズの電子デバイスパッケージであるウエ
ハレベルチップサイズパッケージ（WLCSP）もこれからさらに製品適用が拡大される傾向
にある。
【０００３】
特許文献１は基板上に突起電極を形成して両面電極構造を開示しているが、その突起電
極形成方法や接続方法などの具体的な開示は全く無い。また上面の再配線も開示している
が、この手法は上面メッキで低抵抗金属膜を形成してリソグラフィーを用いてパターン形
成する従来手法のみの開示に留まっており、コスト的には大きな課題を持っていると言え
る。
【０００４】
また、一般的に、半導体製造プロセスは、ＬＳＩを作りこむ前工程と、それをパッケー
ジングする後工程に分かれるが、後工程メーカで前工程もカバーできる専業メーカは少な
い。従来のウエハレベルチップサイズパッケージ（WLCSP）のような電子デバイスパッケ
ージの製造は、ウエハ上で再配線や垂直配線部メッキ等の処理をするプロセス、すなわち
前工程に近い設備を必要とし、従来の後工程設備だけではできなかった。
【特許文献１】特開２００１−１２７２４３号公報
【発明の概要】
【発明が解決しようとする課題】
【０００５】
両面電極パッケージ（以下DFPと略す）のように、LSIチップ搭載基板から離れて他方に
電極を取り出す場合やあるいはウエハレベルチップサイズパッケージ（以下WLCSPと略す
）のようにLSIチップの能動面から離れて他方に電極を取り出す場合は、基板と離れて電
極を取り出すための少なくとも垂直配線、あるいは再配線のための水平配線も含めた構造
が必要である。一般的にDFPの垂直配線は基板に予め作りこんだ構造や樹脂封止後に樹脂
を開口してメッキで埋める方法、さらにはシリコン基板を貫通させ基板の両側に電極を取
り出す構造が採られている。また再配線はインクジェットあるいはリソグラフィーを使っ
た再配線等がある。このように従来技術では垂直配線や再配線の形成は工程が複雑でコス
ト高になり易い構造になっている。
【０００６】
本発明は、係る問題点を解決するために、DFPやWLCSPの構造形成のための追加工程を垂
直配線や再配線を部品として集約させ、工程を簡素化し部品は専門メーカに任せることで
コスト低減も実現することを目的としている。この部品化によりWLCSPなどは前工程に近
い設備が必要な工程をオフラインで部品に集約することができ、これによって、後工程メ
ーカも大きな投資の必要なく参入できることになる。また垂直配線を用いることによって
、DFP構造が貫通電極技術等を必要とすること無く、簡潔にしかもコスト的にも安く製造
することができる。この結果DFPやWLCSPのように小型で高密度の多岐に亘る電子デバイス
パッケージを容易に供給すること可能にする。
【課題を解決するための手段】
【０００７】
本発明の配線用電子部品及びその製造方法は、半導体チップを含む回路素子を配置して
、該回路素子をおもて面に位置する外部電極に垂直配線を介して接続される電子デバイス
パッケージに組み込んで用いる。この配線用電子部品は、電鋳母型材質としての導電性の
支持部と、電鋳法により該支持部上に一体に連結して構成される複数の垂直配線部と、か
ら構成される。この支持部には、それに支持される垂直配線部だけでなく、それに接続さ
れる水平配線部を形成することができる。支持部は、導電性材料、或いはメッキ用の電気
を通す程度の薄い酸化膜材料で覆ったシリコン基板である。
【０００８】
また、配線用電子部品は、絶縁基材、或いはこの絶縁基材の裏側に貼り付けた補強板と
の２層構成の支持部と、メッキにより該支持部上に一体に連結して構成される複数の垂直
配線部と、から構成される。この支持部には、それに支持される垂直配線部だけでなく、
それに接続される水平配線部を形成することができる。この支持部は例えば、シリコン基
板又はガラス、あるいはステンレス板等の補強板と、その補強板の一方の全面に薄膜フィ
ルムの絶縁基材により作成したテープを貼り付けて構成される。この絶縁機材上に、メッ
キのためのシード層を形成して、このシード層の上にメッキにより前記垂直配線部及び水
平配線部を成長させる。また、支持部としてシリコン基板又はガラスを用いることができ
る。この支持部に剥離助長層を介してシード層を形成し、このシード層の上にメッキによ
り前記垂直配線部及び水平配線部を成長させる。
【０００９】
また、配線用電子部品は、導電性或いは絶縁性の支持部と、該支持部上に一体に連結し
て構成される前記垂直配線を行うための複数の垂直配線部とから構成されるが、この垂直
配線部は、支持部上に塗布したホトレジストに垂直配線部用穴を開けて、そこに導電性ペ
ーストを埋め込むことにより構成される。
【発明の効果】
【００１０】
本発明は、例えばWLCSPでは、前工程設備が必要な工程をオフラインで部品に集約する
ことができ、後工程メーカも大きな投資が必要なく、参入でき、今後の市場拡大に容易に
追随できることになる。これによって、新規に高価な設備とメッキ処理設備を準備しなく
ても済む分コストも安くできる。
【００１１】
また、本発明によれば、DFPを形成するための貫通電極技術を必要とすること無く、簡
潔にしかもコスト的にも安く実現することが可能となる。これによって、電子機器の携帯
電話等の小型実装分野、及び電子機器で3次元接続が有効なセンサー用パッケージとして
有効となる。
【図面の簡単な説明】
【００１２】
【図１】本発明を具体化する配線用電子部品の第１の例を示す図であり、（Ａ）及び（Ｂ）は１個の電子デバイスパッケージのための単体パターンの側面断面図及び斜視図をそれぞれ示し、また（Ｃ）は４個の電子デバイスパッケージのための４個の単体パターンを１個に連結したパターンの斜視図を示している。
【図２】多層有機基板上にＬＳＩチップを接着しかつ接続した状態で示す図である。
【図３】ＬＳＩチップを接着しかつ接続した多層有機基板上に、図１に示した配線用電子部品の垂直配線部を固定し、接続した状態で示す図である。
【図４】樹脂封止した状態で示す図である。
【図５】支持部（電鋳母型）を剥離した後の状態で示す図である。
【図６】垂直配線部のおもて面側、及び裏面側に形成された端面電極部（ランド）にそれぞれ、外部接続用のバンプ電極を形成した完成状態で示す図である。
【図７】本発明を具体化する配線用電子部品の第２の例を示す図であり、図７（Ａ）及び（Ｂ）はそれぞれ単体パターンの側面断面図及び斜視図を示している。
【図８】ＬＳＩチップを接着しかつ接続した多層有機基板（図２参照）上に、第２の例の配線用電子部品を固定し、接続した状態で示す図である。
【図９】樹脂封止した状態で示す図である。
【図１０】支持部を剥離した後の状態で示す図である。
【図１１】水平配線部パターンの先端側、及び多層有機基板の裏面側に形成されたランドにそれぞれ、外部接続用のバンプ電極を形成した完成状態で示す図である。
【図１２】本発明に基づき構成される配線用電子部品を、リードフレームに固定し、接続した状態で示す図である。
【図１３】配線用電子部品の支持部上に、回路素子（ＬＳＩチップ）が搭載されて接続された状態で示す図である。
【図１４】樹脂封止した状態で示す図である。
【図１５】支持部剥離後の状態を示す図である。
【図１６】外部接続用のバンプ電極を形成した状態で示す図である。
【図１７】完成したＬＳＩウエハを示す図であり、（Ａ）は、複数個のチップが縦横に併置して形成されている１枚のウエハを示し、（Ｂ）は、その１チップのみを取り出して示す拡大したＬＳＩチップ斜視図であり、（Ｃ）は、Ｘ−Ｘ’ラインで切断した断面図である。
【図１８】配線用電子部品とＬＳＩチップを接続前の状態で例示する図である。
【図１９】配線用電子部品をＬＳＩチップ上に接続、固定した後、樹脂封止した状態で示す図である。
【図２０】支持部（電鋳母型）を剥離した後の状態で示す図である。
【図２１】外部接続用のバンプ電極を形成した状態で示す図である。
【図２２】本発明を具体化する配線用電子部品の第３の例を示す図であり、（Ａ）及び（Ｂ）はそれぞれ単体パターンの側面断面図及び斜視図を示し、かつ、（Ｃ）は単体パターンを４個連結した連結パターンの斜視図を示している。
【図２３】第１の半導体チップを接続した状態で示す第３の例の配線用電子部品の断面図（Ａ）及び斜視図（Ｂ）である。
【図２４】第１の半導体チップを装着した配線用電子部品を、第２の半導体チップを装着した有機基板上に固定し、接続した状態で示す図である。
【図２５】樹脂封止した状態で示す図である。
【図２６】裏面側に形成された端面電極部（ランド）に、外部接続用のバンプ電極を形成した状態で示す図である。
【図２７】本発明を具体化する配線用電子部品の第４の例を示す図であり、（Ａ）は、多数個一体に連結された状態で示す配線用電子部品を示す斜視図であり、図中のＹ−Ｙ’ラインで切断した断面図を（Ｂ）に示している。
【図２８】接続前の状態で例示する図である。
【図２９】配線用電子部品をＬＳＩチップ上に接続、固定した後、樹脂封止した状態で示す図である。
【図３０】シリコン基板（又はガラス）を剥離した後の状態で示す図である。
【図３１】外部接続用のバンプ電極を形成した状態で示す図である。
【図３２】本発明を具体化する配線用電子部品の第５の例を示す図であり、（Ａ）は、多数個一体に連結された状態で示す配線用電子部品を示す斜視図であり、図中のＺ−Ｚ’ラインで切断した断面図を（Ｂ）に示している。
【図３３】接続前の状態で例示する図である。
【図３４】配線用電子部品をＬＳＩチップ上に接続、固定した後、樹脂封止した状態で示す図である。
【図３５】シリコン基板（又はガラス）を剥離した後の状態で示す図である。
【図３６】外部接続用のバンプ電極を形成した状態で示す図である。
【図３７】本発明を具体化する配線用電子部品の第６の例の製造のために、支持部上に水平配線部を形成した状態で示す図である。
【図３８】支持部上にホトレジストを塗布した状態で示す図である。
【図３９】垂直配線部用穴を開けた状態で示す図である。
【図４０】垂直配線部用穴に銅ペーストを埋め込んだ状態で示す図である。
【図４１】ホトレジストを除去することによって、配線用電子部品の第６の例が完成した状態で示す図である。
【図４２】ホトレジストを用いた電鋳部品の製造方法を示す工程図である。
【発明を実施するための形態】
【００１３】
以下、例示に基づき本発明を説明する。図１は、本発明を具体化する配線用電子部品の
第１の例を示す図であり、図１（Ａ）及び（Ｂ）は１個の電子デバイスパッケージのため
の単体パターンの側面断面図及び斜視図をそれぞれ示し、また図１（Ｃ）は４個の電子デ
バイスパッケージのための４個の単体パターンを１個に連結したパターンの斜視図を示し
ている。この配線用電子部品の第１の例は、電鋳法を用いて、複数の垂直配線部を導電性
材料の支持部により一体に連結して構成される。垂直配線部は、例示したような円柱形状
に限らず、矩形、多角形状等を含む柱状（棒状）形状であれば良い。パターン中央部は、
例示したようにベタ板にすることに限らず、中抜きでも可能である。一体連結の垂直配線
部パターンの製造は電鋳法によって行われる。
【００１４】
電鋳法自体は、周知の加工法である。電鋳法とは「電気メッキ法による金属製品の製造
・補修又は複製法」であって、基本的には電気メッキと同様であるが、メッキ厚、メッキ
皮膜の分離操作を行う点が、電気メッキとは異なる。また、母型よりメッキ皮膜を剥離し
て使用する場合、メッキ皮膜の物性の制御・管理が重要ポイントとなる。本発明で用いる
電鋳法により成長させる導電性材料のメッキ金属としては、ニッケルまたは銅とか、ニッ
ケル合金、或いは銅合金を含む材料を用いることができる。本発明で用いる母型材質とし
ては、一般的な導電性材料であるステンレスを用いることができるが、それ以外に、例え
ばベースにシリコン基板を用いて、その表面をメッキパターンが剥離し易いようにメッキ
用の電気を通す程度の薄い酸化膜等の材料で覆ったものを用いることができる。内部応力
の生じないようなメッキ浴の組成やメッキ条件を選定する必要があり、ニッケルメッキの
場合、メッキ浴として、スルファミン酸ニッケル浴が利用されている。
【００１５】
図４２は、ホトレジストを用いた電鋳部品の製造方法を示す工程図である。以下、電鋳
法について説明するが、この工程図に示した製造ステップは、メッキの場合にも適用可能
である。メッキ（無電解メッキ）の場合は、母型としてステンレスのような導電体に代え
て絶縁体を用いることにより、これを剥がすことなく半導体装置の保護膜として機能させ
ることができる。
【００１６】
電鋳法は、図４２（ａ）に示すように、ステンレス等の母型の上面に、ホトレジスト（
不導体被膜）を塗布する。次いで、パターンフィルムを通して露光するパターン焼き付け
及びその後の現像により、非メッキ部分をホトレジストパターンで覆った電鋳用原版を形
成する（図４２（ｂ））。電鋳用原版のホトレジストパターンの厚さは、製品（垂直配線
部、或いは水平配線部）の厚さ以上であり、垂直配線部の場合は、ICのチップ厚より厚い
、例えば50μｍから300μ前後の厚さとする。続いて、ホトレジストパターンの開口部に
メッキ金属が形成される（図４２（ｃ））。適性温度に維持されたメッキ浴（例えば、ス
ルフォミン酸ニッケル液）中に、陽極側に電鋳させようとする電鋳金属を入れ、陰極側に
ステンレス等の電鋳母型を配置する。陰極側の電鋳母型の表面上には、図４２（ｃ）に示
すように、ホトレジストパターンが予め形成されている。電流を流すと、陽極側の電鋳金
属が溶け出して、電鋳母型上のホトレジストパターン開口部にメッキされる。
【００１７】
次に、図４２（ｄ）に示すように、平坦化加工が行われる。次に、レジストを除去する
と（図４２（ｅ））、レジスト部分以外がそのまま水平配線部や垂直配線部のような配線
部となる。そして、このメッキ金属を電鋳母型から剥離する（図４２（ｆ））。形成され
たメッキ金属と支持部の剥がしが、熱や圧力で容易に行うことができるのが、電鋳法の特
徴である。
【００１８】
図７を参照して後述する水平配線部付きの配線用電子部品の製造のためには、図４２（
ａ）〜（ｄ）に示す工程を２回繰り返し、最初の工程で、支持部上に水平配線部を形成し
た後、２回目の工程で、水平配線部に接続される垂直配線部を形成する。
【００１９】
図１に示すような配線用電子部品は、種々の電子デバイスパッケージに組み込んで用い
ることができる。以下、図２〜図６を参照して、有機基板タイプの電子デバイスパッケー
ジに組み込んだ場合を例として、その製造について説明する。図２は、多層有機基板上に
ＬＳＩチップを接着しかつ接続した状態で示す図である。ＬＳＩチップは、多層有機基板
上にダイボンド材により接着して、有機基板の最上層の配線パターンとはボンディングワ
イヤにより接続するものとして例示している。多層または単層有機基板の最上層の配線パ
ターンに、ボンディングワイヤ接続電極となるボンディング用金属パッド部が形成される
と共に、該パッド部への配線が形成される。この多層または単層有機基板のおもて面の金
属パッド部と、ＬＳＩチップは、Ａｕボンディングワイヤにより接続される。或いは、Ｌ
ＳＩチップは、有機基板に対してフリップチップボンド接続することもできる（図示省略
）。
【００２０】
多層または単層有機基板は、単層２層配線構造や複数層から成る基板の各層に、それぞ
れ配線パターンを形成した後これらの基板を貼り合わせ、必要に応じて各層の配線パター
ンを接続するためのスルーホールを形成したものである。このスルーホールの内部には導
体層が形成され、この導体層が裏面側に形成された端面電極部であるランドと接続されて
いる。このような多層または単層有機基板は、例えば、「ハンダボール」と呼ばれる小さ
いハンダ材料を丸めたもの（バンプ）を裏面に実装した（BGA：Ball Grid Array）一括封
止有機基板として知られている。
【００２１】
図３は、ＬＳＩチップを接着しかつ接続した多層有機基板上に、図１に示した配線用電
子部品の垂直配線部を固定し、接続した状態で示す図である。垂直配線部は、有機基板の
配線パターンの所定の位置に、半田接続或いは銀ペースト等の導電性ペーストによる接続
等により、固定されかつ電気的に接続される。垂直配線部が有機基板の配線パターン上の
所定の位置に配置した接続電極用金属パッド部（図２参照）に固定された段階では、全て
の垂直配線部が、板状の支持部により一体に連結されている。
【００２２】
図４は、樹脂封止した状態で示す図である。一体に連結されている垂直配線部が固定さ
れた後、この状態で、有機基板の上面は、支持部の下面までトランスファーモールドされ
、或いは液状樹脂（材質は、例えばエポキシ系）を用いて樹脂封止される。
【００２３】
図５は、支持部（電鋳母型）を剥離した後の状態で示す図である。支持部を剥離するこ
とにより、垂直配線部が電気的に個々に分離される。この段階の構成により、完成製品と
して使用可能であるが、この後、図６に示すように、垂直配線部のおもて面側、及び裏面
側に形成された端面電極部（ランド）にそれぞれ、外部接続用のバンプ電極を形成するこ
とができる。このように、支持部である導電性材料（電鋳母型）にリソグラフィーとメッ
キを用いて柱状の垂直配線部を成長させ、支持部と一体になった垂直配線部パターンを有
する配線用電子部品を形成し、そして、この電子部品を、ＬＳＩチップが搭載された多層
基板に接続した後、支持部と多層基板の間に樹脂を充填し、然る後に該支持部を剥がすこ
とにより垂直配線部の端面がバンプ電極に接続された両面電極構造の電子デバイスパッケ
ージが形成される。これによって、ＬＳＩチップを含む回路素子がおもて面に位置するバ
ンプ電極（外部電極）に、垂直配線部を通して接続される。
【００２４】
図７は、本発明を具体化する配線用電子部品の第２の例を示す図であり、図７（Ａ）及
び（Ｂ）はそれぞれ単体パターンの側面断面図及び斜視図を示している。この配線用電子
部品の第２の例は、上述した電鋳法を用いて、支持部に支持される垂直配線部だけでなく
、それに接続される水平配線部パターンを形成している。なお、単体パターンとして例示
したが、図１と同様に複数個連結した連結パターンとすることもできる。
【００２５】
図７に示す第２の例の配線用電子部品もまた、上述した第１の例と同様に、種々の電子
デバイスパッケージに組み込んで用いることができる。以下、図８〜図１１を参照して、
有機基板タイプの電子デバイスパッケージに組み込んだ場合を例として、その製造につい
て説明する。
【００２６】
図８は、ＬＳＩチップを接着しかつ接続した多層有機基板（図２参照）上に、第２の例
の配線用電子部品を固定し、接続した状態で示す図である。図３を参照して前述したのと
同様に、有機基板上の配線パターンの所定の位置には、板状の支持部により一体に連結さ
れた垂直配線部が固定されかつ電気的に接続される。
【００２７】
図９は、樹脂封止した状態で示す図である。図４を参照して前述した通りである。その
後、図１０に示すように、支持部が剥離される。図１０は、支持部を剥離した後の状態で
示す図である。支持部を剥離することにより、垂直配線部及びそれに接続された水平配線
部パターンが電気的に個々に分離される。この後、図１１に示すように、水平配線部パタ
ーンの先端側、及び多層有機基板の裏面側に形成されたランドにそれぞれ、外部接続用の
バンプ電極を形成して、さらに、チップ個片化のための切断を行って、製品として完成さ
せる。
【００２８】
以上、配線用電子部品の第１或いは第２の例を、有機基板タイプの電子デバイスパッケ
ージの製造に用いる例について説明したが、本発明の配線用電子部品は、有機基板タイプ
以外にも、種々のタイプの電子デバイスパッケージに適用することができる。図１２は、
本発明に基づき構成される配線用電子部品を、リードフレームに固定し、接続した状態で
示す図である。なお、図１２において、配線用電子部品として、図１に示すような第１の
例のものを例示したが、図７に例示した第２の例の配線用電子部品も同様に用いることが
できる。リードフレームの所定の位置には、配線用電子部品の垂直配線部が、半田接続と
か、銀ペースト等の導電性ペーストによる接続等により、固定され、かつ電気的に接続さ
れる。垂直配線部がリードフレームの所定の位置に固定された段階では、全ての垂直配線
部が、支持部により一体に連結されている。
【００２９】
リードフレーム上には、ＬＳＩチップが接着されかつ接続されている。ＬＳＩチップは
、リードフレームのダイパッド上にＡｇペースト等によるダイボンド材により接着されて
いる（チップダイボンド）。リードフレームのインナーリード部と、ＬＳＩチップは、Ａ
ｕボンディングワイヤにより接続される（ワイヤボンド）。このリードフレームを周囲の
回路と電気的に接続するためのアウターリード部は、その先端断面が、例示したようなリ
ードフレーム裏面だけでなく、側面にも露出させることができる。リードフレームは、例
えば、ＰｄメッキしたＣｕ合金のような金属板から、化学腐食パターニング（エッチング
）加工やプレス加工により、多数個同時に形成され、その後の工程で、この多数個同時に
形成されたリードフレームが、各個片に切断されることになる。図示のリードフレームは
各個片に切断された状態で示され、それ故に、リードフレーム自体も個々に分離されて図
示されているが、この製造段階にあるリードフレームは、実際には未だ一体に連結されて
いる。
【００３０】
この後、図４〜図５を参照して前述したのと同様に、樹脂封止し、そして、支持部が剥
離されて、垂直配線部が個々に分離される。この後、チップ個片化のための切断が行われ
て、製品として完成する。このように、本発明を具体化する配線用電子部品は、リードフ
レームタイプの電子デバイスパッケージにも組み込むことができる。
【００３１】
次に、本発明に基づき構成される配線用電子部品に、直接ＬＳＩチップを組み込んだタ
イプの電子デバイスパッケージの製造について説明する。図１３は、配線用電子部品の支
持部上に、回路素子（ＬＳＩチップ）が搭載されて接続された状態で示す図である。ここ
で用いる配線用電子部品は、垂直配線部に加えて水平配線部を有する第２の例の配線用電
子部品（図７参照）に相当する。配線用電子部品の水平配線部パターン上に、ＬＳＩチッ
プを含む電子部品を、ダイボンド材により接着して、水平配線部パターンとはボンディン
グワイヤ（ワイヤボンド接続方式）により接続する。或いは、フリップチップ方式で搭載
することもできる。これによって、水平配線部パターン上に回路素子を配置して、該回路
素子の電極端子と水平配線部パターンの必要個所とを電気接続する。
【００３２】
図１４は、樹脂封止した状態で示す図である。支持部の上面は、トランスファーモール
ドされ、或いは液状樹脂を用いて樹脂封止される。樹脂封止は、金型を用いて、垂直配線
部上面位置まで充填する。
【００３３】
図１５は、支持部剥離後の状態を示す図である。完成品には不要の支持部を剥離する。
【００３４】
図１６は、外部接続用のバンプ電極を形成した状態で示す図である。バンプ電極は、お
もて面においては垂直配線部の上面に、かつ、裏面においては水平配線部パターンの所定
の位置に形成される。その後、チップ個片化のための切断が行われて、製品として完成す
る。
【００３５】
次に、図１７〜図２１を参照して、本発明に基づき構成される配線用電子部品を組み込
んだウエハレベルチップサイズパッケージの製造について説明する。チップサイズパッケ
ージ（CSP）とは、ＬＳＩチップサイズに限りなく近い小ささと、薄さを備えた超小型パ
ッケージであり、さらに、ウエハレベルチップサイズパッケージ（WLCSP）とは、個々の
ＬＳＩに切り分ける（個片化）前に、ＬＳＩと電極同士をワイヤーで接続し周囲を樹脂で
固めた、即ち、ウエハ上で直接パッケージした超小型パッケージとして知られている。
【００３６】
図１７は、完成したＬＳＩウエハを示す図であり、（Ａ）は、複数個のチップが縦横に
併置して形成されている１枚のウエハを示し、（Ｂ）は、その１チップのみを取り出して
示す拡大したＬＳＩチップ斜視図であり、（Ｃ）は、Ｘ−Ｘ’ラインで切断した断面図で
ある。図１７（Ｂ），（Ｃ）に示すＬＳＩチップは、半導体（例えばシリコン）基板上に
、通常の半導体プロセス技術を用いて形成される。基板上面（おもて面）には、アクティ
ブ領域及び配線領域を含むＬＳＩ領域と、その周辺部にボンディングパッド領域が形成さ
れる。ボンディングパッド領域は、ウエハ製造完成時には、アルミニューム配線また銅配
線であるため、ウエハ完成後にバリアメタル（例えば金スパッタ、或いは金メッキ）を施
した後に、メッキ、半田等を行う。
【００３７】
図１８は、配線用電子部品とＬＳＩチップを接続前の状態で例示している。ここで用い
る配線用電子部品は、垂直配線部に加えて水平配線部を有する第２の例の配線用電子部品
（図７参照）を例示したが、同様に、第１の例の配線用電子部品（図１参照）を用いるこ
とができる。ＬＳＩチップ上のボンディングパッド領域には、配線用電子部品の複数の垂
直配線部が、一括して固定されかつ電気的に接続される。垂直配線部を固定及び接続する
手法としては、半田接続によって行うことができる。ボンディングパッド領域に、半田接
続（例えば半田リフロー）を行うことにより、垂直配線部が一括接続される。垂直配線部
がボンディングパッド領域に固定された段階では、全ての垂直配線部と配線が、板状の支
持部により一体に連結されている。
【００３８】
図１９は、配線用電子部品をＬＳＩチップ上に接続、固定した後、樹脂封止した状態で
示す図である。一体に連結されている垂直配線部がＬＳＩチップに固定された後、この状
態で、ＬＳＩチップのおもて面は、支持部の下面まで、即ちＬＳＩチップと支持部の間の
空間を満たすようにトランスファーモールドされ、或いは液状樹脂（材質は、例えばエポ
キシ系）を用いて樹脂封止される。
【００３９】
図２０は、支持部（電鋳母型）を剥離した後の状態で示す図である。支持部を剥離する
ことにより、複数の垂直配線部（及びそれに接続された水平配線部）が、電気的には互い
に個々に分離される。
【００４０】
図２１は、外部接続用のバンプ電極を形成した状態で示す図である。支持部を剥離する
ことにより露出した水平配線部パターン上に、それに接続される外部接続用のバンプ電極
を形成する。このように、ウエハレベルチップサイズパッケージの再配線（水平配線部）
と垂直配線部作成工程を、配線用電子部品として集約することができる。
【００４１】
図２２は、本発明を具体化する配線用電子部品の第３の例を示す図であり、図２２（Ａ
）及び（Ｂ）はそれぞれ単体パターンの側面断面図及び斜視図を示し、かつ、図２２（Ｃ
）は単体パターンを４個連結した連結パターンの斜視図を示している。この配線用電子部
品の第３の例は、構造的には第２の例（図７参照）と同じであり、支持部に支持される垂
直配線部だけでなく、それに接続される水平配線部パターンを有しているが、電鋳法によ
り形成される第２の例とは異なり、メッキ法を用いて形成されている。
【００４２】
この配線用電子部品は、複数の水平配線部及び垂直配線部を支持部により一体に連結し
て構成される。板状の支持部は、ポリイミドテープなどに代表される薄膜フィルムの絶縁
基材により作成することができる。また、半導体装置の製造中に、より強い剛性がこの絶
縁基材に求められる場合は、この絶縁基材と、この裏側（水平配線部形成面の反対側）に
貼り付けた補強板（例えば、ステンレス板）との２層構成を用いることができる。但し、
この補強板は、後述する樹脂封止工程後に、剥離して除去する。
【００４３】
周知のように、無電解メッキ技術を用いれば、電気メッキのように通電を必要としない
ため、プラスチックやセラミックスのような不導体にもメッキ可能である。素材の形状や
種類にかかわらず均一な厚みの皮膜が得られる。この例に示した配線用電子部品の支持部
は、電子デバイスパッケージとして製造が完成した際には保護膜として機能するので、支
持部を半導体装置から剥がす必要はない。このような場合、水平配線部パターンの作製、
及びそれに続く垂直配線部の作製をメッキにより行うことができる。
【００４４】
次に、図２３〜図２６を参照して、本発明に基づき構成される配線用電子部品を組み込
んだ２つの半導体チップ搭載タイプの電子デバイスパッケージの製造について説明する。
図２３は、第１の半導体チップを接続した状態で示す第３の例の配線用電子部品の断面図
（Ａ）及び斜視図（Ｂ）である。配線用電子部品の支持部に支持された水平配線部パター
ン上に、第１の半導体チップが載置されて、例えば、フリップチップボンド接続により水
平配線部パターンと電気的に接続される。
【００４５】
図２４は、第１の半導体チップを装着した配線用電子部品（図２３参照）を、第２の半
導体チップを装着した有機基板（図２参照）上に固定し、接続した状態で示す図である。
第１の半導体チップを搭載した配線用電子部品は、別途組み立てた、例えば、図２を参照
して前述したような有機基板上に固定され、かつ電気的に接続されることになる。有機基
板の配線パターンの所定の位置には、垂直配線部が固定されかつ電気的に接続される。
【００４６】
図２５は、樹脂封止した状態で示す図である。一体に連結されている垂直配線部が固定
された後、この状態で、有機基板の上面は、支持部の下面までトランスファーモールドさ
れ、或いは液状樹脂（材質は、例えばエポキシ系）を用いて樹脂封止される。
【００４７】
この段階の構成により、完成製品として使用可能である。支持部は、完成製品の保護膜
として機能する。なお、この後、図２６に示すように、裏面側に形成された端面電極部（
ランド）に、外部接続用のバンプ電極を形成することができる。さらに、チップ個片化の
ための切断を行って、製品として完成させる。
【００４８】
図２７は、本発明を具体化する配線用電子部品の第４の例を示す図であり、図２７（Ａ
）は、多数個一体に連結された状態で示す配線用電子部品を示す斜視図であり、図中のＹ
−Ｙ’ラインで切断した断面図を（Ｂ）に示している。
【００４９】
支持部にステンレス（SUS）を用いることもできるが、ステンレスを用いた場合、シリ
コン基板と熱膨張係数が異なってウエハ上に形成された垂直配線部接続位置とステンレス
に支持された垂直配線部の位置がずれる場合が想定される。この場合は、熱膨張の等しい
シリコン基板又は低熱膨張係数のガラスを使うことが望ましい。例示の支持部は、シリコ
ン基板又はガラスの一方の全面に、ポリイミドテープなどに代表される薄膜フィルムの絶
縁基材により作成したテープを貼り付けたものを用いる。シリコン基板とテープは後の工
程で相互に剥離される。このため、例えばリフロー温度より高温（モールド温度以上）を
加えると、シリコン基板（又はガラス）とテープが剥離し易い処理を予め行っておく。例
えば熱カプセル入り接着剤、または支持部として光を透過する材料（耐熱低熱膨張ガラス
など）にして、紫外線剥離型接着剤を用いる。または熱可塑性の接着剤でも良い。
【００５０】
さらに、このテープ上に、水平配線部パターンとなるべき金属のシード層を形成して、
メタル付きテープを形成する。このシード層としては、例えば、銅メッキを可能とする金
、銀、銅、パラジューム箔を用いることができる。水平配線部パターンはシード層の上に
レジストを塗布し、パターンを露光、現像してさらにエッチングを行い、レジストを除去
して完成させる。このシード層の上にメッキにより配線層を成長させる。さらにその上に
、垂直配線部形成のためレジスト塗布と現像を行い、ポスト部をメッキ成長させる。或い
は、配線部はナノ金属粒子で直接シード層をパターンニングにしてリソグラフィ工程を省
略することもできる。この直接パターンニングは、有機溶媒中に銅等のナノ金属粒子を含
有させて、それをプリンターで実用されているインクジェット法で所望のパターンを描く
方法である。前記と同じようにさらにその上に、垂直配線部形成のためレジスト塗布と現
像を行い、垂直配線部をメッキ成長させる。これによって、配線用電子部品が完成する。
【００５１】
次に、図２８〜３１を参照して、図２７に示したような第４の例の配線用電子部品を用
いて構成される、ウエハレベルチップサイズパッケージの製造について説明する。図２７
に示した配線用電子部品は、図１７を参照して前述したＬＳＩチップ上に接続、固定され
ることができ、図２８は、その接続前の状態で例示している。ＬＳＩチップ上のボンディ
ングパッド領域には、配線用電子部品の垂直配線部が固定されかつ電気的に接続される。
【００５２】
図２９は、配線用電子部品をＬＳＩチップ上に接続、固定した後、樹脂封止した状態で
示す図である。一体に連結されている配線用電子部品がＬＳＩチップに固定された後、こ
の状態で、ＬＳＩチップの上面は、絶縁基材テープの下面までトランスファーモールドさ
れ、或いは液状樹脂（材質は、例えばエポキシ系）を用いて樹脂封止される。
【００５３】
図３０は、シリコン基板（又はガラス）を剥離した後の状態で示す図である。例えば、
所定の高温を加えることにより、シリコン基板（又はガラス）を剥離する。これにより露
出した絶縁基材テープは、完成製品の保護膜として機能する。
【００５４】
図３１は、外部接続用のバンプ電極を形成した状態で示す図である。絶縁基材テープに
穴を空け、開口により露出した配線と接続される外部接続用のバンプ電極を形成する。こ
れによって、ウエハレベルチップサイズパッケージが完成する。
【００５５】
図３２は、本発明を具体化する配線用電子部品の第５の例を示す図であり、図３２（Ａ
）は、多数個一体に連結された状態で示す配線用電子部品を示す斜視図であり、図中のＺ
−Ｚ’ラインで切断した断面図を図３２（Ｂ）に示している。
【００５６】
この例では、支持部としてシリコン基板又はガラスを用いる。シリコン基板に剥離助長
層を設け、その後全面にシード層を形成する（例えばスパッタ層あるいはナノ金属材料を
塗膜）。シリコン基板は、後の工程で配線層（シード層）から剥離される。このため、例
えばリフロー温度より高温を加えると、シリコン基板（又はガラス）と配線層が剥離し易
い処理を予め行っておく。その後にレジストを塗り、水平配線部パターンに現像し、そし
て、メッキ成長させる。これによって水平配線部パターンが形成されるが、さらにその上
に、垂直配線部形成のためレジスト塗布と現像を行い、そして、メッキ成長させる。或い
は、配線及び垂直配線部を、ナノ金属粒子で直接パターンニングすることもできる。これ
によって、配線用電子部品が完成する。
【００５７】
次に、図３３〜３６を参照して、図３２に示したような第５の例の配線用電子部品を用
いて構成される、ウエハレベルチップサイズパッケージの製造について説明する。図３２
に示した配線用電子部品は、図１７を参照して前述したようなＬＳＩチップ上に接続、固
定することができるが、図３３は、その接続前の状態で例示している。ＬＳＩチップ上の
ボンディングパッド領域には、配線用電子部品の複数の垂直配線部が、一括して固定され
かつ電気的に接続される。これによって、配線用電子部品がＬＳＩチップ上に結合される
。
【００５８】
図３４は、配線用電子部品をＬＳＩチップ上に接続、固定した後、樹脂封止した状態で
示す図である。一体に連結されている配線用電子部品がＬＳＩチップに固定された後、こ
の状態で、ＬＳＩチップの上面は、シリコン基板（又はガラス）の下面までトランスファ
ーモールドされ、或いは液状樹脂（材質は、例えばエポキシ系）を用いて樹脂封止される
。
【００５９】
図３５は、シリコン基板（又はガラス）を剥離した後の状態で示す図である。例えば、
所定の高温を加えることにより、シリコン基板（又はガラス）を剥離する。
【００６０】
図３６は、外部接続用のバンプ電極を形成した状態で示す図である。シリコン基板（又
はガラス）の剥離により露出した配線と接続される外部接続用のバンプ電極を形成する。
配線上面を保護する保護膜を必要に応じて形成した際は、保護膜に穴を空けて、そこにバ
ンプ電極を形成する。これによって、ウエハレベルチップサイズパッケージが完成する。
【００６１】
図３７〜図４１は、本発明を具体化する配線用電子部品の第６の例の製造を説明する図
である。最初に、図３７に示すように、支持部上に水平配線部を形成する。この場合、水
平配線部は後の工程で支持部と簡単に剥離できるように、電鋳法で導電性の支持部上に形
成することができる（単層構造）。または、支持部は、ポリイミドテープなどに代表され
る薄膜フィルムの絶縁基材により作成して（２層構造）、この配線用電子部品を組み込ん
だパッケージの保護膜として利用することができる。
【００６２】
次に、図３８に示すように、水平配線部を形成した支持部上にホトレジストを塗布する
。なお、図示の例は、支持部上に、水平配線部を有するが、以下に示す方法は、水平配線
部の無い垂直配線部のみの製造にも適用することができる。この場合、支持部上に、水平
配線部を形成すること無く、ホトレジストを塗布する。
【００６３】
次に、図３９に示すように、垂直配線部となる位置に、そのための穴を開ける。このた
め、ホトレジスト上に垂直配線部パターンを転写し、現像する。
【００６４】
次に、図４０に示すように、開口された垂直配線部用穴に銅ペーストを埋め込む。これ
は、例えば、真空印刷技術とか、或いは通常のスクリーン印刷技術により行うことができ
る。銅ペーストはべークあるいはキュアすると収縮するので、それを考慮した充填を行う
。例えば、銅ペーストと同じくらいの収縮のレジスト材を使うか、或いは収縮量を計算し
たレジスト膜厚にしておく。
【００６５】
次に、図４１に示すように、ホトレジストを除去することによって、配線用電子部品が
完成する。この場合、銅ペーストのままでも垂直配線部として使用できるが、必要に応じ
て低抵抗化と強度補強のためにその外周にメッキを施す。レジスト除去後に無電解メッキ
或いは電解メッキを行うことにより、垂直配線部が補強される。
【図１】
2014143448.tif 000003
【図２】
2014143448.tif 000004
【図３】
2014143448.tif 000005
【図４】
2014143448.tif 000006
【図５】
2014143448.tif 000007
【図６】
2014143448.tif 000008
【図７】
2014143448.tif 000009
【図８】
2014143448.tif 000010
【図９】
2014143448.tif 000011
【図１０】
2014143448.tif 000012
【図１１】
2014143448.tif 000013
【図１２】
2014143448.tif 000014
【図１３】
2014143448.tif 000015
【図１４】
2014143448.tif 000016
【図１５】
2014143448.tif 000017
【図１６】
2014143448.tif 000018
【図１７】
2014143448.tif 000019
【図１８】
2014143448.tif 000020
【図１９】
2014143448.tif 000021
【図２０】
2014143448.tif 000022
【図２１】
2014143448.tif 000023
【図２２】
2014143448.tif 000024
【図２３】
2014143448.tif 000025
【図２４】
2014143448.tif 000026
【図２５】
2014143448.tif 000027
【図２６】
2014143448.tif 000028
【図２７】
2014143448.tif 000029
【図２８】
2014143448.tif 000030
【図２９】
2014143448.tif 000031
【図３０】
2014143448.tif 000032
【図３１】
2014143448.tif 000033
【図３２】
2014143448.tif 000034
【図３３】
2014143448.tif 000035
【図３４】
2014143448.tif 000036
【図３５】
2014143448.tif 000037
【図３６】
2014143448.tif 000038
【図３７】
2014143448.tif 000039
【図３８】
2014143448.tif 000040
【図３９】
2014143448.tif 000041
【図４０】
2014143448.tif 000042
【図４１】
2014143448.tif 000043
【図４２】
2014143448.tif 000044
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
半導体チップを含む回路素子が内部に配置され、垂直配線を介して当該回路素子に接続された外部電極を含む電子デバイスパッケージに組み込んで用いるための配線用電子部品の製造方法であって、
補強板と絶縁基材を有し、当該補強板が当該絶縁基材の裏面に分離可能な接着剤により接着されている、２層構成の支持部を提供するステップと、
前記垂直配線のための複数の垂直配線部を、当該垂直配線部が前記支持部に剥離可能に接続されるように、メッキにより形成するステップと、
を含んでなる配線用電子部品の製造方法。
【請求項２】
請求項１に記載の配線用電子部品の製造方法において、
前記支持部の上に水平配線部を形成した後に、当該水平配線部に接続されるための前記垂直配先部を形成する
ことを特徴とする配線用電子部品の製造方法。
【請求項３】
請求項２に記載の配線用電子部品の製造方法において、
前記支持部としてステンレス板、シリコン基板又はガラス基板を用い、当該支持部の上に剥離助長層を介してシード層を形成し、当該シード層の上にメッキにより前記垂直配線部及び水平配線部を成長させる
ことを特徴とする配線用電子部品の製造方法。
【請求項４】
請求項２に記載の配線用電子部品の製造方法において、
ステンレス板、シリコン基板又はガラス基板の一方の全面に、前記絶縁基材を薄膜フィルムの形状に形成したテープを貼り付けて、前記支持部を形成する
ことを特徴とする配線用電子部品の製造方法。
【請求項５】
請求項４に記載の配線用電子部品の製造方法において、
前記絶縁基材の上に、金属のシード層を形成して、当該シード層の上にメッキにより前記垂直配線部及び前記水平配線部を成長させる
ことを特徴とする配線用電子部品の製造方法。
【請求項６】
請求項１に記載の配線用電子部品の製造方法であって、さらに、
一つ以上の前記垂直配線部を、当該垂直配線部の各々が前記補強板に接続されながら前記半導体チップに接続するステップと、
前記一つ以上の垂直配線部を前記半導体チップに接続した後に、前記絶縁基材が前記半導体チップに接続されたままで、前記一つ以上の前記垂直配線部が前記補強板から分離されるように、前記補強板を除去するステップと、
を含んでなる配線用電子部品の製造方法。
【請求項７】
請求項６に記載の配線用電子部品の製造方法であって、さらに、
前記補強板を除去する前に、少なくとも前記半導体チップ及び前記絶縁基材によって画定される空間を樹脂で満たして、当該樹脂を前記半導体チップ及び前記絶縁基材に係合させるステップ
を含んでなる配線用電子部品の製造方法。
【請求項８】
半導体チップを提供するステップと、
補強板、分離可能な接着剤及び絶縁基材を有し、当該補強板が当該絶縁基材の裏面に当該分離可能な接着剤により剥離可能に接続されている、支持部を提供するステップと、
垂直配線のための複数の垂直配線部を、当該垂直配線部が前記支持部に剥離可能に接続されるように、メッキにより形成するステップと、
前記複数の垂直配線部の各々が前記半導体チップに接続されていて、前記支持部を前記半導体チップに接続するステップと、
前記複数の垂直配線部が前記半導体チップに接続された状態で、前記補強板が前記絶縁基材及び前記複数の垂直配線部の各々から分離されるように、前記補強板を前記絶縁基材から除去し、前記各配線部が前記絶縁基材に接続されたままで前記補強板が前記絶縁基材から除去されるステップと、
を含んでなる配線用電子部品の製造方法。  
【請求項９】
請求項８に記載の配線用電子部品の製造方法であって、さらに、
前記補強板を除去する前に、少なくとも前記半導体チップ及び前記絶縁基材によって画定される空間を樹脂で満たして、当該樹脂を前記半導体チップ及び前記絶縁基材に係合させるステップ
を含んでなる配線用電子部品の製造方法。
【請求項１０】
請求項９に記載の配線用電子部品の製造方法であって、さらに、
水平配線部を形成するステップであって、当該水平配線部の各々が前記垂直配線部の一つと係合し、前記絶縁基材が前記裏面と反対の他の面を有し、前記水平配線部の各々が当該他の面と係合するとともに前記垂直配線部の一つによって前記半導体基板に接続されるステップ
を含んでなる配線用電子部品の製造方法。
【手続補正書】
【提出日】平成26年6月20日(2014.6.20)
【手続補正１】
【補正対象書類名】特許請求の範囲
【補正対象項目名】請求項６
【補正方法】変更
【補正の内容】
【請求項６】
請求項１に記載の配線用電子部品の製造方法であって、さらに、
一つ以上の前記垂直配線部を、当該垂直配線部の各々が前記補強板に接続されながら前記半導体チップに接続するステップと、
前記一つ以上の垂直配線部を前記半導体チップに接続した後に、前記一つ以上の垂直配線部が前記半導体チップに接続されたままで、前記一つ以上の前記垂直配線部が前記補強板から分離されるように、前記補強板を除去するステップと、
を含んでなる配線用電子部品の製造方法。 
【手続補正２】
【補正対象書類名】特許請求の範囲
【補正対象項目名】請求項１０
【補正方法】変更
【補正の内容】
【請求項１０】
請求項９に記載の配線用電子部品の製造方法であって、さらに、
水平配線部を形成するステップであって、当該水平配線部の各々が前記垂直配線部の一つと係合し、前記絶縁基材が前記裏面と反対の他の面を有し、前記水平配線部の各々が当該他の面と係合するとともに前記垂直配線部の一つによって前記半導体チップに接続されるステップ
を含んでなる配線用電子部品の製造方法。